(57)【要約】      （修正有）【課題】口の開き加減によって、発生する音の高低等を変化させることができる発音機構付きパペットを提供する。【解決手段】発音機構を内蔵し、かつ内部に手指を差し入れて動かすことができる人形であって、人形本体１１の内部に発音機構１７を組み込み、かつ人形本体１１の口部の動きに合わせて開閉可能に設けた開閉片１９を具備し、人形本体１１の口１２の開き加減に連動する開閉片１９の開閉度合を発音機構部に設けたセンサー手段により検出し、検出結果を発音機構１７より発する音の高低等の変化に反映させる。センサー手段は、開閉片１９の開閉度合を検出するためにケース側に設けた発光部２９と受光部３１及び発光部２９から発した光を受光部３１に反射させる開閉片１９の反射面とから成る。【選択図】図１
0003113924.tif 000002
【実用新案登録請求の範囲】
【請求項１】
発音機構を内蔵し、かつ内部に手指を差し入れて動かすことができる人形であって、人形本体内に、発音機構を組み込み、かつ人形本体の口部の動きに合わせて開閉可能に設けた開閉片を具備し、人形本体の口の開き加減に連動する開閉片の開閉度合を、発音機構部に設けたセンサー手段により検出し、検出結果を発音機構より発する音の高低等の変化に反映させるようにした発音機構付きパペット。
【請求項２】
センサー手段は、開閉片の開閉度合を検出するために設けた発光部と受光部、及び発光部から発した光を受光部に反射させる開閉片の反射面とから成る請求項１記載の発音機構付きパペット。
【請求項３】
発音機構は、集音手段と、そのアナログ信号をデジタル変換するＡ／Ｄコンバーター、デジタル信号を記憶するメモリー、そのデジタル信号をアナログ変換するＤ／Ａコンバーター及び発音手段としてのスピーカー又はその他の信号出力を具備するものとし、センサー入力により再生／停止を制御し、再生時にはタイマーの割り込みによってメモリーからＤ／Ａコンバーターを通してスピーカーに出力するように構成されている請求項１又は２記載の発音機構付きパペット。
【考案の詳細な説明】
【技術分野】
【０００１】
本考案は、発音機構を内蔵し、かつ内部に手指を差し入れて動かすことができる発音機構付きパペットに関するものである。
【背景技術】
【０００２】
パペット人形或いはハンドパペットなどとも呼ばれる玩具は、人形やぬいぐるみ状のもので、片手を内部に差し入れて口をパクパクと開閉させることができるような形態を有している。この種のものには、例えば特開２００５−３４４４２号のように絵本に印刷されたパターンをリーダー部でなぞると絵柄に関連する音声を出力するという発明や、特開２００４−６５６８０号のように出力される音声と口の開閉間隔を関連させるという発明、実用新案登録第３１０１５９３号のように後方から話しかけるとあたかもパペットが話しているかのように変化した声が出る考案などがある。しかしこれらの再生音は一様であり変化に乏しい。
【０００３】
【特許文献１】特開２００５−３４４４２号
【特許文献２】特開２００４−６５６８０号
【特許文献３】実用新案登録第３１０１５９３号
【考案の開示】
【考案が解決しようとする課題】
【０００４】
本考案は前記の点に着目してなされたもので、その課題は、口の開き加減によって発生する音の高低等を変化させることができる発音機構付きパペットを提供することである。
【課題を解決するための手段】
【０００５】
前記の課題を解決するため本考案は、発音機構を内蔵し、かつ内部に手指を差し入れて動かすことができる人形について、人形本体内に、発音機構を組み込み、かつ人形本体の口部の動きに合わせて開閉可能に設けた開閉片を具備し、人形本体の口の開き加減に連動する開閉片の開閉度合を発音機構部に設けたセンサー手段により検出し、検出結果を発音機構より発する音の高低等の変化に反映させるという手段を講じたものである。
【０００６】
本考案に係るパペット玩具に装備される発音機構は、あらかじめ録音されている声、又は使用者が録音した音声を含むものであり、この意味で、録音再生機能を有する、ということができる。この発音機構を人形本体の内部に組み込み、人形本体の口部の動きに合わせて、口の開き加減を発音機構における再生音の高低等の変化に反映させるものである。
【０００７】
口の開き加減を再生音の高低等の変化に反映させるためには、開閉度合を開閉片とセンサー手段によって検出する方法を適用することができる。その例としては、例えば発光部から発して受光部へ入る光線の強弱を、発光部−受光部間の距離の変化や、受光量の制御によって行う方法がある。人形本体の口の開き加減に連動する開閉片は、上記の光線を受光部へ入るように反射させたり、或いは光量を絞ったりするようにして制御するために使われる。
【０００８】
発音機構は、例えば、集音手段としてのマイクロフォン、そのアナログ信号をデジタル変換するＡ／Ｄコンバーター、デジタル化された音声信号を記憶する手段としてのメモリー、そのデジタル信号をアナログ変換するＤ／Ａコンバーター及び発音手段としてのスピーカーを具備するものとし、センサー入力により再生／停止を制御し、再生時にはタイマーの割り込みによってメモリーからＤ／Ａコンバーターを通してスピーカーに出力するか又はその他の信号出力として出力するような構成を取ることができる。発音機構に取り込み再生する音声としては、人の音声はもちろんのこと、動物の鳴き声やその他のあらゆる音が対象となる。
【考案の効果】
【０００９】
本考案は以上の如く構成されかつ作用するものであるから、例えば人形本体の口を大きく開けると発音手段から発音する音を高く、口を小さく開けると音を低くすることができ、使用者が自由に操作することができるのでこれにより様々な音声を表情豊かに発音することが可能となるという効果を奏する。
【考案を実施するための最良の形態】
【００１０】
以下図示の実施形態を参照して本考案を詳細に説明する。図１は本考案に係る発音機構付きパペット１０の１例を示すもので、１１は人形本体で、開閉可能な口１２を有し、筒状部１３より手指を差し入れて、口１２を開閉させることができるようになっている。
【００１１】
例示した人形本体１１は、手袋状構造を持ち、人形本体１１の下顎側に親指を差し入れる部分１４があり、上顎側に残り４指を差し入れる部分１５があり、余った空間には詰め物１６をして手指の動きが口１２の開閉を行えるようになっている。口１２の内側は閉じており、上記の親指と他４指による操作を受ける部分１２ａ、１２ｂを構成している。
【００１２】
発音機構１７は上記の口１２の内側部分１２ａ、１２ｂに、外から取り付けられるように、開閉可能に設けられたケース１８と開閉片１９のケース内に組み込まれている。ケース１８と開閉片１９とは、口部奥に配置される端部にてヒンジ２０により開閉可能に結合されており、ケース１８、開閉片１９の外面に取り付けられているフックとループから成る着脱手段２１により口部内側部分１２ａ、１２ｂに取り付けられている（図３、図４参照）。
【００１３】
ケース１８には、発音機構１７を構成する集音手段としてのマイク２２、アナログ信号をデジタル変換するＡ／Ｄコンバーター２３、デジタル信号を記憶するメモリー２４、デジタル信号をアナログ変換するＤ／Ａコンバーター２５、センサー手段２６及びタイマー２７が取り付けられている。図４中、２８は発音機構１７を作動させる電源としての電池を示す。図６において、センサー２６の入力は録音再生／停止を制御することを示しており、再生時は、タイマー２７の割り込みによってメモリー２４から音声信号がＤ／Ａコンバーター２５を通してスピーカー３０に出力され、タイマー２７の周期はセンサー入力によって制御され、また録音時には、録音ボタン３５を押すことによって、マイク２２からＡ／Ｄコンバーター２３を通してメモリー２４に音声信号がデータとして組み込まれるものとする。なお外部スピーカーのためのラインアウトをもって、上記スピーカー３０に変える構成を取ることも可能である。
【００１４】
上記のセンサー手段２６は図５に示した構成を取ることができる。図５Ａは、赤外線Ｌを発する赤外発光ＬＥＤを発光部２９とし、フォトトランジスターを受光部３１として、開閉片１９の内面の反射面に面する箇所に開閉片方向へ並設したもので、図３に示したような外観となる。この場合、開閉片１９の開き加減が大きくなると受光部３１に到達する赤外線量が減少し、タイマー割り込みによって読み出されたメモリー中の音声信号を制御して音を高くし、逆に開閉片１９の開き加減を小さくすると音を低くする。
【００１５】
図５Ｂは、前記と同様の発光部２９と受光部３１を、ケース１８の側に間隔を開けて対向配置し、開閉片１９の側に、発光部−受光部間に出入り可能なシャッター３２を設けている。開閉片１９の開き加減により、発光部２９から発して受光部３１に直行する赤外線量が大小変化することになるので、図５Ａの場合と同様に音の高低を制御することができる。また図５Ｃは、図５Ｂと同様に発光部２９と受光部３１及びシャッター３３を配置するが、シャッター３３に、開閉片１９の開き加減によって開口面積が変化するスリット３４を設けた例である。
【００１６】
このように構成されている本考案の発音機構付きパペット１０では、人形本体１１の口内に発音機構１７を着脱手段２１を用いて取り付けた状態とし、発音機構１７のケース１８と開閉片１９を人形本体内に差し入れた手指で開閉操作する。口内に取り付けた発音機構１７が外部から見えることが気になる場合には、発音機構１７の露出面を適当な色に着色するか、或いは布材等によって覆っても良いが、後者の場合、図５Ａのセンサー手段では発音制御機能が損われないように配慮する。
【００１７】
例示の場合、動物のぬいぐるみの形態を持つ人形本体を操作して口１２を開閉させることにより、スピーカー３０から動物の鳴き声を発音し、その音の高さは口を大きく開くと高く、小さく開くと低くなり、これにより動物の鳴き声をはじめとして様々な音声を表情豊かに発音することができる。なお本考案において音の高低とは、音の周波数の高低を意味するものとして説明しているが、音の高低が音量の大小を意味することもあり、そのような意味に解釈しても一向に差し支えはなく、実施も容易である。さらに音の高低の制御を、周波数と音量の両方を同時にコントロールすることを含むものとして取り扱うことも当然可能である。
【００１８】
人形本体１１の口の開き加減を、発音機構１７より発する音の高低に反映させることに変えて、或いは加えて、音質や音色その他音に関する変化の全てに反映させることも考えられる。この場合、考案の実施の形態に示した以外の構成も必要とされることになるが、考案の本質が変わることはなく、実施の困難性もない。
【図面の簡単な説明】
【００１９】
【図１】本考案に係る発音機構付きパペットの１例を示す分解斜視図。
【図２】同上のものの縦断面図。
【図３】発音機構の１例を示す正面図。
【図４】同上のものの縦断面図。
【図５】センサー手段を示すもので、Ａは例１、Ｂは例２そしてＣは例３の説明図。
【図６】発音機構の１例を示すブロック図。
【符号の説明】
【００２０】
１０  発音機構付きパペット
１１  人形本体
１２  口
１７  発音機構
１８  ケース
１９  開閉片
２１  着脱手段
２２  マイク
２３  Ａ／Ｄコンバーター
２４  メモリー
２５  Ｄ／Ａコンバーター
２６  センサー手段
２７  タイマー
２９  発光部
３０  スピーカー
３１  受光部
３２、３３  シャッター
３４  スリット
３５  録音ボタン
【図１】
0003113924.tif 000003
【図２】
0003113924.tif 000004
【図３】
0003113924.tif 000005
【図４】
0003113924.tif 000006
【図５】
0003113924.tif 000007
【図６】
0003113924.tif 000008